(57)【要約】      （修正有）【課題】隣り合う建枠間の寸法の大小の相違に柔軟に対応して簡略容易に、かつ、迅速に仮設足場におけるストレート部、コーナー部を問わず当該建枠間に取り付けでき、交差筋交が位置する垂直面領域からの作業者の転落防止機能も発揮し、更に、保管や運搬にも便利である仮設足場用の単管伸縮式手摺を提供する。【解決手段】仮設足場用の単管伸縮式手摺は、建設現場等における仮設足場用の単管伸縮式手摺１であって、中空の外管３と、この外管３の開口内に伸縮可能に嵌入するとともに、他端部側を外管３の開口よりも外方に突出させる内管４と、を具備する単管伸縮式の手摺具本体２と、外管３の一端部等に設けた取り付け口５に取り付けた先端クランプ１１と、内管４の一端部等に設けた取り付け口６取り付けた先端クランプ１２と、を有するものである。【選択図】図１
0003188275.tif 000002
【実用新案登録請求の範囲】
【請求項１】
建設現場等における仮設足場用の単管伸縮式手摺であって、
単管伸縮式とした手摺具本体と、
前記手摺具本体の両端に各々着脱式で取り付けた一対の先端クランプと、
を有することを特徴とする仮設足場用の単管伸縮式手摺。
【請求項２】
建設現場等における仮設足場用の単管伸縮式手摺であって、
一端部を閉塞し他端部を開口した中空の外管と、この外管の開口内に一端部側を伸縮可能に嵌入するとともに、閉塞した他端部側を前記外管の開口よりも外方に突出させる内管と、を具備する単管伸縮式の手摺具本体と、
前記外管の一端部及びその近辺の外管外周部に設けた複数個の取り付け口のいずれかに選択的に、かつ、着脱可能に取り付けた外管側の先端クランプと、
前記内管の他端部及びその近辺の内管外周部に設けた複数個の取り付け口のいずれかに選択的に、かつ、着脱可能に取り付けた内管側の先端クランプと、
を有することを特徴とする仮設足場用の単管伸縮式手摺。
【請求項３】
建設現場等における仮設足場用の単管伸縮式手摺であって、
一端部を閉塞し他端部を開口した中空の外管と、この外管の開口内に一端部側を伸縮可能に嵌入するとともに、閉塞した他端部側を前記外管の開口よりも外方に突出させる内管と、を具備する単管伸縮式の手摺具本体と、
前記外管の一端部及びその近辺の外管外周部に設けた複数個の取り付け口のいずれかに選択的に、かつ、着脱可能に取り付けた外管側の先端クランプと、
前記内管の他端部及びその近辺の内管外周部に設けた複数個の取り付け口のいずれかに選択的に、かつ、着脱可能に取り付けた内管側の先端クランプと、
前記外管に設けた１又は２以上複数個の位置決め固定孔と、当該外管に設けた位置決め固定孔と対応するように前記内管に設けられ、かつ、固定ピン挿通により外管側の先端クランプと、内管側の先端クランプとの間隔を調整固定するための複数個の位置決め固定孔と、
を有することを特徴とする仮設足場用の単管伸縮式手摺。
【請求項４】
建設現場等における仮設足場用の単管伸縮式手摺であって、
一端部を閉塞し他端部を開口した中空の外管と、この外管の開口内に一端部側を伸縮可能に嵌入するとともに、閉塞した他端部側を前記外管の開口よりも外方に突出させる内管と、を具備する単管伸縮式の手摺具本体と、
前記外管の一端部及びその近辺の外管外周部に設けた複数個の取り付け口のいずれかに選択的に、かつ、着脱可能に取り付けた外管側の先端クランプと、
前記内管の他端部及びその近辺の内管外周部に設けた複数個の取り付け口のいずれかに選択的に、かつ、着脱可能に取り付けた内管側の先端クランプと、
前記外管、前記内管に、各々対応する間隔をもって設けられ、ピン挿通により外管側の先端クランプと、内管側の先端クランプとの間隔を調整固定するための複数個ずつの位置決め固定孔と、
前記外管の一端よりも内方の内周部に設けた雌ネジと、前記内管の一端近辺の外周部に設けた前記外管側の雌ネジに螺合する雄ネジと、
を有することを特徴とする仮設足場用の単管伸縮式手摺。
【請求項５】
前記外管側の先端クランプの取り付け口は、前記外管の一端部、一端部近くの管壁の一面及び反対側の他面の２箇所で合計３箇所設けられ、前記内管側の先端クランプの取り付け口は、前記内管の他端部、他端部近くの管壁の一面及び反対側の他面の２箇所で合計３箇所設けられていることを特徴とする請求項１乃至４のいずれかに記載の仮設足場用の単管伸縮式手摺。
【請求項６】
前記二つの先端クランプ間の間隔を６００乃至１０００ｍｍの範囲で調整可能としたことを特徴とする請求項１乃至５のいずれかに記載の仮設足場用の単管伸縮式手摺。
【請求項７】
前記二つの先端クランプ間の間隔を９００乃至１５００ｍｍの範囲で調整可能としたことを特徴とする請求項１乃至５のいずれかに記載の仮設足場用の単管伸縮式手摺。
【請求項８】
前記請求項１乃至７のいずれかに記載の単管伸縮式手摺を、仮設足場自体のコーナー領域又はストレート領域における足場床から所定の高さの位置で隣り合う建枠間に取り付けていることを特徴とする単管伸縮式手摺を備える仮設足場。
【考案の詳細な説明】
【技術分野】
【０００１】
本考案は、隣り合う建枠間の寸法の大小の相違に柔軟に対応して簡略容易に、かつ、迅速に仮設足場におけるストレート部、コーナー部を問わず当該建枠間に取り付けでき、交差筋交が位置する垂直面領域からの作業者の転落防止機能も発揮し、更に、保管や運搬にも便利である仮設足場用の単管伸縮式手摺及び該単管伸縮式手摺を備える仮設足場に関するものである。
【背景技術】
【０００２】
従来、ビルディング等の建築工事現場等においては、例えば建築物の外壁に沿って建築工事に携わる作業者用の仮設足場を構築し、この仮設足場を利用して建築物の外壁工事作業等を実行するようにしている。
【０００３】
この場合、建築物の全幅や高さに応じて、仮設足場用の建枠を左右方向、上下方向に所要数連結して組み立て、高層階にわたり、かつ、建築物の周りを囲むようにして大きな四角形状を呈し四隅にコーナー部を含む仮設足場とするものである。
【０００４】
このような仮設足場の従来例について、図４、図５を参照して概説する。
【０００５】
図４は従来の最上階を４階とした仮設足場５１のストレート部分を概略的に示すものである。
【０００６】
従来のこのような仮設足場５１は、建物の外壁方向に沿って平行配置したベース板５２、５２上に、所要数の鳥居型建枠５３を一定間隔を隔てつつ垂直、かつ、平行に配置し、隣り合う鳥居型建枠５３を交差筋交５４を用いて固定連結する。
【０００７】
そして、隣り合う鳥居型建枠５３の各上端連結杆５３ｂ間に各足場板５５をフック係合により順に配置して、各足場板５５が建物の外壁方向に連なる２階用の水平な足場６１Ａを構築する。
【０００８】
３階用、４階用の水平な足場６１Ｂ、６１Ｃについても上述した場合と同様にして所要数の鳥居型建枠５３、交差筋交５４を用いて構築する。
【０００９】
また、隣り合う鳥居型建枠５３間に連結される交差筋交５４の部分には、足場床５５の位置から所定の高さ（例えば８５ｃｍ）となる配置で、作業者の転落防止用の例えば単管式パイプ５６が隣り合う鳥居型建枠５３間にクランプ結合で連結する態様で取り付けられる。
【００１０】
更に、上述した仮設足場５１と同様な仮設足場５１Ａを両者の隅部を直交する状態で付き合わせ、図５に部分的に示すような作業者用の足場板５５の領域が直角状態に連なるコーナー部７１も設けられる。
【００１１】
なお、図５中、５９は壁つなぎ材、７２は仮設足場５１、仮設足場５１Ａが周囲に配置される建物である。
【００１２】
前記単管式パイプ５６は、図６に示すように、例えば鋼管パイプ等からなり、この単管式パイプ５６を各々隣り合う鳥居型建枠５３に連結することで、手摺としての機能を発揮させるものである。
【００１３】
しかしながら、前記単管式パイプ５６の長さ寸法は、規格化（９００ｍｍ、１８００ｍｍ等）されており、画一的で長さ調整ができないことから、特に、前記コーナー部７１の近傍領域において単管式パイプ５６を配置する場合、単管式パイプ５６の寸法と、隣り合う鳥居型建枠５３、５３間の寸法が整合せず、この単管式パイプ５６が図５に示すように仮設足場５１Ａの長さ方向に対して斜状配置となってしまう。
【００１４】
この結果、単管式パイプ５６が手摺機能を十分に発揮できなくなり、当該部分の図示しないが交差筋交等の領域で大きな隙間が発生し、作業者の転落事故が多発してしまうという問題があった。
【００１５】
特許文献１には、本考案に関連する手摺の技術として、上下一対の横パイプの間に枠組足場の建枠への固定部を有するスライド管が配置されたＸ手摺り材とＹ手摺り材をＬ字型に構成し、Ｘ手摺り材の横パイプの所定位置にスリーブ固定用の複数個のピン孔を穿設し、Ｘ手摺り材のスライド管の両端のスリーブを、このスリーブに挿通されたピンなどをピン孔に挿通して固定するように構成した枠組足場用コーナーＬ型手摺が提案されている。
【００１６】
しかし、この枠組足場用コーナーＬ型手摺の場合も、Ｘ手摺り材、Ｙ手摺り材のいずれも伸縮式ではなく長さを伸縮調整できないことから、上述した場合と同様な問題を包含している。
【先行技術文献】
【特許文献】
【００１７】
【特許文献１】特開平７−２４７６７３号公報
【考案の概要】
【考案が解決しようとする課題】
【００１８】
本考案が解決しようとする問題点は、隣り合う建枠間の寸法の大小の相違に柔軟に対応して簡略容易に、かつ、迅速に仮設足場におけるストレート部、コーナー部を問わず当該建枠間に取り付けでき、交差筋交が位置する垂直面領域からの作業者の転落防止機能も発揮し、更に、保管、運搬にも便利であるような仮設足場用の単管伸縮式手摺が存在しない点である。
【課題を解決するための手段】
【００１９】
本考案は、建設現場等における仮設足場用の単管伸縮式手摺であって、単管伸縮式とした手摺具本体と、前記手摺具本体の両端に各々着脱式で取り付けた一対の先端クランプと、を有することを最も主要な特徴とする。
【考案の効果】
【００２０】
請求項１記載の考案によれば、単管伸縮式とした手摺具本体と、手摺具本体の両端に各々着脱式で取り付けた一対の先端クランプとを有する構成の基に、隣り合う建枠間の寸法の大小の相違に柔軟に対応して先端クランプ間の間隔を調整し、簡略容易に、かつ、迅速に仮設足場におけるストレート部、コーナー部を問わず建枠間に取り付け可能で、転落防止機能を発揮するとともに、保管や運搬にも便利である仮設足場用の単管伸縮式手摺を実現し、提供することができる。
【００２１】
請求項２記載の考案によれば、一端部を閉塞し他端部を開口した中空の外管と、この外管の開口内に一端部側を伸縮可能に嵌入するとともに、閉塞した他端部側を前記外管の開口よりも外方に突出させる内管と、を具備する単管伸縮式の手摺具本体と、前記外管の一端部及びその近辺の外管外周部に設けた複数個の取り付け口のいずれかに選択的に、かつ、着脱可能に取り付けた外管側の先端クランプと、前記内管の他端部及びその近辺の内管外周部に設けた複数個の取り付け口のいずれかに選択的に、かつ、着脱可能に取り付けた内管側の先端クランプとを有する構成の基に、隣り合う建枠間の寸法の大小の相違に柔軟に対応して先端クランプ間の間隔を調整し、簡略容易に、かつ、迅速に仮設足場におけるストレート部、コーナー部を問わず建枠間に取り付け可能で、転落防止機能を発揮するとともに、保管や運搬にも便利である仮設足場用の単管伸縮式手摺を実現し、提供することができる。
【００２２】
請求項３記載の考案によれば、前記請求項２記載の考案の構成に、前記外管に設けた１又は２以上複数個の位置決め固定孔と、当該外管に設けた位置決め固定孔と対応するように前記内管に設けられ、かつ、固定ピン挿通により外管側の先端クランプと、内管側の先端クランプとの間隔を調整固定するための複数個の位置決め固定孔を付加したことにより、隣り合う建枠間の寸法の大小の相違に柔軟に対応して先端クランプ間の間隔を調整し、かつ、外管、内管を位置決め連結して、簡略容易に、かつ、迅速に仮設足場におけるストレート部、コーナー部を問わず建枠間に取り付け可能で、転落防止機能を発揮するとともに、保管や運搬にも便利である仮設足場用の単管伸縮式手摺を実現し、提供することができる。
【００２３】
請求項４記載の考案によれば、前記請求項３記載の考案の構成に加えて、外管の一端よりも内方の内周部に設けた雌ネジと、内管の一端近辺の外周部に設けた外管側の雌ネジに螺合する雄ネジと、を付加したものであるから、請求項３記載の考案と同様な効果を奏し、かつ、外管、内管のネジ結合により両者を一体的として運搬や保管の便宜を図ることができる仮設足場用の単管伸縮式手摺を実現し、提供することができる。
【００２４】
請求項５記載の考案によれば、請求項１乃至４のいずれかに記載の仮設足場用の単管伸縮式手摺において、外管側の先端クランプの取り付け口を異なる位置で３箇所、内管側の先端クランプの取り付け口も異なる位置で３箇所としているので、この単管伸縮式手摺自体の建枠等に対する取り付け態様の多様化を図ることもできる仮設足場用の単管伸縮式手摺を実現し、提供することができる。
【００２５】
請求項６記載の考案によれば、二つの先端クランプ間の間隔を６００乃至１０００ｍｍの範囲で調整して、取り付け対称箇所である建枠間等に取り付け、上記各考案の諸効果を発揮し得る仮設足場用の単管伸縮式手摺を実現し、提供することができる。
【００２６】
請求項７記載の考案によれば、二つの先端クランプ間の間隔を９００乃至１５００ｍｍの範囲で調整して、取り付け対称箇所である建枠間等に取り付け、上記各考案の諸効果を発揮し得る仮設足場用の単管伸縮式手摺を実現し、提供することができる。
【００２７】
請求項８記載の考案によれば、前記の効果を奏する単管伸縮式手摺を用いることにより、交差筋交の領域で大きな隙間が発生することが無くなり、作業者の転落事故を確実に防止することが可能となるとともに、コーナー部の近辺領域でも、仮設足場自体の長さ方向に沿って斜状態でなくまっすぐに単管伸縮式手摺を配置できることから、美感の面でも良好な体裁を現出し得る単管伸縮式手摺を備える仮設足場を実現し、提供することができる。
【図面の簡単な説明】
【００２８】
【図１】図１は本考案の実施例に係る仮設足場用の単管伸縮式手摺及びその伸縮状態を示す概略説明図である。
【図２】図２は本考案の変形例に係る仮設足場用の単管伸縮式手摺及びその伸縮状態を示す概略説明図である。
【図３】図３は本実施例に係る単管伸縮式手摺を仮設足場のストレート部及びコーナー部に各々取り付けた状態を示す概略平面図である。
【図４】図４は従来の仮設足場のストレート部分を概略的に示す斜視図である。
【図５】図５は従来の仮設足場のコーナー部分を概略的に示す概略平面図である。
【図６】図６は従来の単管式パイプの概略正面図である。
【考案を実施するための形態】
【００２９】
本考案は、隣り合う建枠間の寸法の大小の相違に柔軟に対応して簡略容易に、かつ、迅速に仮設足場におけるストレート部、コーナー部を問わず当該建枠間に取り付けでき、交差筋交が位置する垂直面領域からの作業者の転落防止機能も発揮し、更に、保管、運搬にも便利である仮設足場用の単管伸縮式手摺を提供するという目的を、建設現場等における仮設足場用の単管伸縮式手摺であって、一端部を閉塞し他端部を開口した中空の外管と、この外管の開口内に一端部側を伸縮可能に嵌入するとともに、閉塞した他端部側を前記外管の開口よりも外方に突出させる内管と、を具備する単管伸縮式の手摺具本体と、前記外管の一端部及びその近辺の外管外周部に設けた複数個の取り付け口のいずれかに選択的に、かつ、着脱可能に取り付けた外管側の先端クランプと、前記内管の他端部及びその近辺の内管外周部に設けた複数個の取り付け口のいずれかに選択的に、かつ、着脱可能に取り付けた内管側の先端クランプとを有する構成により実現した。
【実施例】
【００３０】
以下、本考案の実施例に係る仮設足場用の単管伸縮式手摺及び該単管伸縮式手摺を備える仮設足場について図面を参照して詳細に説明する。
なお、以下説明する実施例における単管伸縮式手摺の各部分の寸法は、図示例に限定されるものでないことは勿論である。したがって、本考案に係る仮設足場用の単管伸縮式手摺における各部分の寸法は、実施例、図示例以外の自在な寸法として構成できる。
【００３１】
本実施例に係る単管伸縮式手摺１は、図１に示すように、例えば鋼管等からなり、一端部３ａを閉塞し他端部３ｂを開口した中空の外管３と、この外管３の開口内に一端部４ａ側を伸縮可能に嵌入するとともに、閉塞した他端部４ｂ側を前記外管３の開口よりも外方に突出させる内管４と、を具備する単管伸縮式の手摺具本体２と、前記外管３の一端部３ａ及びその近辺の外管外周部に分離配置に設けた例えば３個の取り付け口５のいずれかに選択的に、かつ、着脱可能に取り付けた外管３側の先端クランプ１１と、前記内管４の他端部４ｂ及びその近辺の内管外周部に設けた例えば３個の取り付け口６のいずれかに選択的に、かつ、着脱可能に取り付けた内管４側の先端クランプ１２と、前記外管３、内管４の長さ方向に、各々対応する間隔Ｌ（例えばＬ＝１００ｍｍ）をもって設けられ、ピン挿通により外管３側の先端クランプ１１と、内管４側の先端クランプ１２との間隔Ｌ０を調整固定するための例えば５個ずつの位置決め固定孔１４と、前記外管４の一端部３ａよりも内方の内周部に設けた雌ネジ１５と、前記内管４の一端部４ａの近辺の外周部に設けた前記外管３側の雌ネジ１５に螺合する雄ネジ１６と、を有している。
なお、前記外管３の位置決め固定孔１４の設置個数は、１又は２以上複数個として構成できることは勿論である。
【００３２】
前記外管３側の先端クランプ１１用の取り付け口５は、前記外管３の一端部３ａ、一端部３ａ近くの管壁の一面及び反対側の他面の２箇所で、合計３箇所設けられている。
【００３３】
同様に、前記内管４側の先端クランプ１２用の取り付け口６は、前記内管４の他端部４ｂ、他端部４ｂ近くの管壁の一面及び反対側の他面の２箇所で、合計３箇所設けられている。
【００３４】
図１には、前記外管３側の先端クランプ１１をその一端部３ａに取り付け、前記内管４側の先端クランプ１２を内管４の他端部４ｂ近くの管壁の一面に取り付けた状態を示している。
【００３５】
また、本実施例に係る単管伸縮式手摺１は、前記二つの先端クランプ１１、１２間の間隔Ｌ０を、図１上欄に示すＬ０＝６００ｍｍと、図１下欄に示すＬ０＝１０００ｍｍとの範囲で調整可能としている。
【００３６】
すなわち、図１上欄は、前記内管４を外管３に対して最も深く押し込み、かつ、内管４の雌ネジ１５を外管３の雄ネジ１６と螺合状態として、最も短寸法（Ｌ０＝６００ｍｍ）とした態様を示し、また、図１下欄は、前記内管４を外管３の外方に伸ばして、外管３の最も右側の位置決め固定孔１４と、内管４の最も左側の位置決め固定孔１４を合致させて、最も長寸法（Ｌ０＝１０００ｍｍ）とした態様を示している。
【００３７】
そして、図１下欄に示す状態で、合致させた両位置決め固定孔１４、１４に、図示しない固定ピンを差し込むことで、前記外管３、内管４をピン結合により位置決め固定するものである。
【００３８】
前記外管３、内管４の別の位置の位置決め固定孔１４、１４の合致による位置決め固定も上述した場合と同様である。
【００３９】
これにより、前記単管伸縮式手摺１における前記二つの先端クランプ１１、１２間の間隔Ｌ０は、Ｌ０＝６００ｍｍ〜Ｌ０＝１０００ｍｍの範囲内で、１００ｍｍずつずれた合計５段階に調整可能となっている。
【００４０】
次に、図２を参照して、本考案の変形例に係る単管伸縮式手摺２１について説明する。
【００４１】
なお、変形例に係る単管伸縮式手摺２１において、既述した単管伸縮式手摺１の場合と同一の要素には同一の符号を付し、その詳細説明は省略する。
【００４２】
図２に示す変形例に係る単管伸縮式手摺２１は、基本的構成は既述した単管伸縮式手摺１の場合と同様であるが、二つの先端クランプ１１、１２間の間隔Ｌ０を、前記単管伸縮式手摺１の場合よりも大きい９００乃至１５００ｍｍの範囲で調整可能としたこと、位置決め固定孔１４、１４の数を７個ずつとしたことが特徴である。
【００４３】
すなわち、変形例に係る単管伸縮式手摺２１は、図２に示すように、例えば鋼管等からなり、一端部２３ａを閉塞し他端部２３ｂを開口した前記外管３よりも長寸法の中空の外管２３と、この外管２３の開口内に一端部２４ａ側を伸縮可能に嵌入するとともに、閉塞した他端部２４ｂ側を前記外管２３の開口よりも外方に突出させる前記内管４よりも長寸法の内管２４と、を具備する単管伸縮式の手摺具本体２２を有している。
【００４４】
また、変形例に係る単管伸縮式手摺２１は、前記外管２３の一端部２３ａ及びその近辺の外管外周部に分離配置に設けた例えば３個の取り付け口５のいずれかに選択的に、かつ、着脱可能に取り付けた外管２３側の先端クランプ１１と、前記内管２４の他端部２４ｂ及びその近辺の内管外周部に設けた例えば３個の取り付け口６のいずれかに選択的に、かつ、着脱可能に取り付けた内管２４側の先端クランプ１２と、前記外管２３、内管２４の長さ方向に、各々対応する間隔Ｌ（例えばＬ＝１００ｍｍ）をもって設けられ、ピン挿通により外管２３側の先端クランプ１１と、内管２４側の先端クランプ１２との間隔Ｌ０を調整固定するための例えば７個ずつの位置決め固定孔１４と、前記外管２３の一端部２３ａよりも内方の内周部に設けた雌ネジ１５と、前記内管２４の一端部２４ａの近辺の外周部に設けた前記外管２３側の雌ネジ１５に螺合する雄ネジ１６と、を有している。
なお、前記外管２３の位置決め固定孔１４の設置個数は、１又は２以上複数個として構成できることは勿論である。
【００４５】
前記外管２３側の先端クランプ１１用の取り付け口５、前記内管２４の先端クランプ１１用の取り付け口６の構造は、既述した単管伸縮式手摺１の場合と同様である。
【００４６】
図２上欄は、前記内管２４を外管２３に対して最も深く押し込み、かつ、内管２４の雌ネジ１５を外管２３の雄ネジ１６と螺合状態として、最も短寸法（Ｌ０＝９００ｍｍ）とした態様を示し、また、図２下欄は、前記内管２４を外管２３の外方に伸ばして、外管２３の最も右側の位置決め固定孔１４と、内管２４の最も左側の位置決め固定孔１４を合致させて、最も長寸法（Ｌ０＝１５００ｍｍ）とした態様を示している。
【００４７】
そして、図２下欄に示す状態で、合致させた両位置決め固定孔１４、１４に、図示しない固定ピンを差し込むことで、前記外管２３、内管２４をピン結合により位置決め固定するものである。
【００４８】
前記外管２３、内管２４の別の位置の位置決め固定孔１４、１４の合致による位置決め固定も上述した場合と同様である。
【００４９】
これにより、前記単管伸縮式手摺２１における前記二つの先端クランプ１１、１２間の間隔Ｌ０は、Ｌ０＝９００ｍｍ〜Ｌ０＝１５００ｍｍの範囲内で、１００ｍｍずつずれた合計７段階に調整可能となっている。
【００５０】
次に、図３を参照して前記単管伸縮式手摺１又は前記単管伸縮式手摺２１を、従来例と同様な仮設足場５１、５１Ａに対する取り付け態様について図３を参照して説明する。
【００５１】
図３は、仮設足場５１のストレート部分において、隣り合う鳥居型建枠５３、５３の各垂直支柱５３ａ、５３ａ間に前記単管伸縮式手摺１を２個平行配置に取り付け、また、仮設足場５１Ａが構成するコーナー部７１近辺における隣り合う鳥居型建枠５３、５３の建物７２側の各垂直支柱５３ａ、５３ａ間に、仮設足場５１Ａの長さ方向に前記単管伸縮式手摺１を１個取り付けた場合を代表例として示している。
【００５２】
この場合、仮設足場５１のストレート部分の各垂直支柱５３ａ、５３ａ間に取り付けた前記２個の単管伸縮式手摺１については、前記外管３側の先端クランプ１１を一端部３ａに設けた取り付け口５に配置し、前記内管４側の先端クランプ１２を前記内管４の他端部４ｂに設けた取り付け口６に配置した状態として、かつ、前記先端クランプ１１、１２間の間隔Ｌ０を前記各垂直支柱５３ａ、５３ａ間の間隔に合致するようにして取り付けている。
【００５３】
一方、前記仮設足場５１Ａが構成するコーナー部７１近辺における隣り合う鳥居型建枠５３、５３の建物７２側の各垂直支柱５３ａ、５３ａ間に取り付けた前記単管伸縮式手摺１については、前記外管３側の先端クランプ１１を一端部３ａに設けた取り付け口５に配置し、前記内管４側の先端クランプ１２を前記内管４の他端部４ｂ近くの管壁の一面に設けた取り付け口５に配置した状態とし、かつ、前記先端クランプ１１、１２間の間隔Ｌ０を前記各垂直支柱５３ａ、５３ａ間の間隔に合致するようにして取り付けている。
【００５４】
このようなコーナー部７１の近辺における前記単管伸縮式手摺１の取り付け態様により、本実施例の仮設足場５１においては、図５に示す従来例の場合と異なり、単管伸縮式手摺１が図３に示すように斜め配置ではなく、仮設足場５１Ａの長さ方向に沿ってまっすぐに配置されるので、前記単管伸縮式手摺１が配置される位置における図示しない交差筋交の領域で大きな隙間が発生することが無くなり、作業者の転落事故を確実に防止することが可能となる。
【００５５】
また、前記単管伸縮式手摺１が仮設足場５１Ａの長さ方向に沿って斜状態でなくまっすぐに配置されることから、美感の面でも良好となる。
【００５６】
以上の効果は、前記単管伸縮式手摺２１を使用する場合も同様である。
【００５７】
更に、前記単管伸縮式手摺１、前記単管伸縮式手摺２１によれば、いずれも伸縮式構造としているので、組み立て現場において隣り合う鳥居型建枠５３、５３の各垂直支柱５３ａ、５３ａ間の間隔に柔軟に対応して前記先端クランプ１１、１２間の間隔Ｌ０を調整しつつ簡略容易に、かつ、迅速に各垂直支柱５３ａ、５３ａ間に取り付けることが可能となる。
【００５８】
更にまた、前記単管伸縮式手摺１、前記単管伸縮式手摺２１は、いずれも前記雌ネジ１５、雄ネジ１６の螺合構造を採用しているので、運搬時等において前記単管伸縮式手摺１の外管３と内管４、前記単管伸縮式手摺２１の外管２３と内管２４とが位置ずれすることがなく、運搬の便宜を図ることができるとともに、前記単管伸縮式手摺１、前記単管伸縮式手摺２１を各々最も短寸法の態様として保管することができ、保管時の省スペース化を図ることができる利点も存する。
なお、本考案に係る仮設足場用の単管伸縮式手摺における各部分の寸法は、実施例、図示例以外の自在な寸法として構成できることは前述した通りである。
【産業上の利用可能性】
【００５９】
本考案の単管伸縮式手摺は、ビルディング建築現場、一般住宅建築現場、ビルディング等の外壁補修現場、更にはダム等の土木構造物建造現場等、種々の場所に構築される仮設足場について広範に適用可能である。
適用可能である。
【符号の説明】
【００６０】
１    単管伸縮式手摺
２    手摺具本体
３    外管
３ａ  一端部
３ｂ  他端部
４    外管
４ａ  一端部
４ｂ  他端部
５    取り付け口
６    取り付け口
１１    先端クランプ
１２    先端クランプ
１４    位置決め固定孔
１５    雌ネジ
１６    雄ネジ
２１    単管伸縮式手摺
２２    手摺具本体
２３    外管
２３ａ  一端部
２３ｂ  他端部
２４    内管
２４ａ  一端部
２４ｂ  他端部
５１    仮設足場
５１Ａ  仮設足場
５３    鳥居型建枠
５３ａ  垂直支柱
５４    交差筋交
５５    足場板
５６    単管式パイプ
Ｌ    間隔
Ｌ０  間隔
【図１】
0003188275.tif 000003
【図２】
0003188275.tif 000004
【図３】
0003188275.tif 000005
【図４】
0003188275.tif 000006
【図５】
0003188275.tif 000007
【図６】
0003188275.tif 000008
【手続補正書】
【提出日】平成25年10月30日(2013.10.30)
【手続補正１】
【補正対象書類名】明細書
【補正対象項目名】００２４
【補正方法】変更
【補正の内容】
【００２４】
請求項５記載の考案によれば、請求項２乃至４のいずれかに記載の仮設足場用の単管伸縮式手摺において、外管側の先端クランプの取り付け口を異なる位置で３箇所、内管側の先端クランプの取り付け口も異なる位置で３箇所としているので、この単管伸縮式手摺自体の建枠等に対する取り付け態様の多様化を図ることもできる仮設足場用の単管伸縮式手摺を実現し、提供することができる。
【手続補正２】
【補正対象書類名】実用新案登録請求の範囲
【補正対象項目名】請求項５
【補正方法】変更
【補正の内容】
【請求項５】
前記外管側の先端クランプの取り付け口は、前記外管の一端部、一端部近くの管壁の一面及び反対側の他面の２箇所で合計３箇所設けられ、前記内管側の先端クランプの取り付け口は、前記内管の他端部、他端部近くの管壁の一面及び反対側の他面の２箇所で合計３箇所設けられていることを特徴とする請求項２乃至４のいずれかに記載の仮設足場用の単管伸縮式手摺。